(57)【要約】【課題】雨水の回り込みによる鼻板の汚れを防ぎ、軒樋への雨水の導入をスムーズに行うことができる軒樋の取付構造を提供する。【解決手段】本願発明に係る軒樋の取付構造は、水切り板４を設けた軒先２前方に軒樋５を保持する吊金具１２を備えたものにおいて、水切り板４から落下する雨水を受けるとともに鼻板１１への雨水の回り込みを防止するための水切り補助部材１８を吊金具１２に設けたことを特徴とする。また、この水切り補助部材１８は吊金具１２に設けられた水切り補助部材取付部１７に着脱自在に取り付けられる。【選択図】図１
2007120085.tif 000002
【特許請求の範囲】
【請求項１】
水切り板を設けた軒先前方に軒樋を保持する吊金具を備えた軒樋の取付構造において、水切り板から落下する雨水を受けるとともに鼻板への雨水の回り込みを防止するための水切り補助部材を吊金具に設けたことを特徴とする軒樋の取付構造。
【請求項２】
水切り補助部材を取り付けるための水切り補助部材取付部を吊金具に設け、水切り補助部材を水切り補助部材取付部に対して着脱自在としたことを特徴とする軒樋の取付構造。
【発明の詳細な説明】
【技術分野】
【０００１】
本願発明は、鼻板の前方に吊金具により軒樋が吊着される軒樋の取付構造に関するものである。
【背景技術】
【０００２】
従来より、一般の住宅の軒先には鼻板の前方に軒先の先端から落下する雨水をスムーズに軒樋に導くために軒先から水切り板が垂下して設けられている。この水切り板は、通常、落下する雨水を軒樋内に導くためその下端が軒樋の底面からある程度の距離をもって取り付けられている（特許文献１）。
【０００３】
図２に、従来の軒樋の取付構造を模式的に断面図で示す。図２において２１は軒先、２２は鼻板、２３は軒樋、２４は軒樋２３を吊着する吊金具、２５は軒先２１から軒樋２３に雨水を導く水切り板である。
【０００４】
ところが、このような従来の軒樋の取付構造においては、水切り板２５の先端から軒樋２３の底部にかけて隙間２６があるため、強風を伴う雨天時などではその隙間２６から鼻板２２側に矢印で示すように雨水が回り込み、鼻板２２を汚してしまうという問題があった。
【０００５】
この問題を解決するため、特許文献２には、多数の水切り孔を設けた水返し板を水切り板の先端部から軒樋の前側壁部側の底部にいたるまで配置することが提案されている。この技術は水切り板を実質的に軒先から軒樋の底部まで延長形成したものである。
【特許文献１】特開平１０−１４８０１７号公報
【特許文献２】特開平２−１６４９７４号公報
【発明の開示】
【発明が解決しようとする課題】
【０００６】
しかしながら、軒樋の底部まで延びる水返し板を水切り板の先端部に取り付けた従来の軒樋の取付構造においては、水返し板を水切り板から連続して軒樋の前側壁部側の底部にいたるまで設けているため、途中に水切り孔を設けることが必須となり、また鼻板側への雨水の回り込みは防止できるものの、多量の雨水が流入するときなどでは軒樋への雨水の導入をスムーズに行うことができないケースが生じるおそれがあった。さらに、水返し板を軒先に設けた水切り板に取り付けていたため、水返し板の経時劣化等により水返し板を交換しなければならなくなったときなどでは、水切り板と水返し板を含む軒先全体にわたっての交換作業を行う必要があり、手間がかかるという問題があった。
【０００７】
そこで、本願発明は、以上のとおりの事情に鑑みてなされたもので、雨水の回り込みによる鼻板の汚れを防ぎ、軒樋への雨水の導入をスムーズに行うことができる軒樋の取付構造を提供することを課題とする。
【０００８】
また、本願発明は、雨水が鼻板に回り込むことを防止するための部材を容易に交換することができる軒樋の取付構造を提供することを課題とする。
【課題を解決するための手段】
【０００９】
本願発明の軒樋の取付構造は、上記課題を解決するため、第１には、水切り板を設けた軒先前方に軒樋を保持する吊金具を備えた軒樋の取付構造において、水切り板から落下する雨水を受けるとともに雨水の回り込みを防止するための水切り補助部材を吊金具に設けたことを特徴とする。
【００１０】
また、第２には、上記第１の発明において、水切り補助部材を取り付けるための水切り補助部材取付部を吊金具に設け、水切り補助部材を水切り補助部材取付部に対して着脱自在としたことを特徴とする。
【発明の効果】
【００１１】
本願請求項１の発明によれば、水切り板から落下する雨水を受けるとともに鼻板への雨水の回り込みを防止するための水切り補助部材を吊金具に設けたので、強風を伴う雨天時などにおいても鼻板への雨水の回り込みを水切り補助部材が効果的に防止するため雨水の飛びによる鼻板の汚れが防止でき、軒樋へ雨水を確実に且つスムーズに導くことができるようになる。
【００１２】
本願請求項２の発明によれば、水切り補助部材を取り付けるための水切り補助部材取付部を吊金具に設け、水切り補助部材が水切り補助部材取付部に対して着脱自在としたので、水切り補助部材の交換が必要になったときに容易にその交換作業を行うことができるようになる。
【発明を実施するための最良の形態】
【００１３】
本願発明は上記のとおりの特徴をもつものであるが、以下にその実施の形態について説明する。
【００１４】
図１は、本願発明に係る軒樋の取付構造の一実施形態を模式的に示す断面図である。屋根１の軒先２には先端に折曲部３を有する水切り板４が軒樋５の上方の適所まで垂下され、雨水を軒樋５に導くようになっている。軒樋５は底板部６と前側壁部７と後側壁部８よりその本体が構成され、前側壁部７と後側壁部８の上縁部にはそれぞれ耳部９、１０が設けられている。軒先２の下方には鼻板１１が取り付けられ、この鼻板１１には軒樋５を固定保持するための吊金具１２が取り付けられている。
【００１５】
吊金具１２は、吊金具本体１３と、鼻板１１にビス等の固定具（不図示）により取付固定するための取付部１４と、軒樋５の耳部９、１０を保持固定する保持部１５、１６と、水切り補助部材取付部１７と、この水切り補助部材取付部１７に取り付けられた水切り補助部材１８より構成されている。水切り補助部材取付部１７は吊金具本体１３に一体に設けられていてもよい。水切り補助部材１８は、例えば横方向に長尺で四角形状の板状体よりなり、離間配置された複数の吊金具１２にそれぞれ設けられた水切り補助部材取付部１７にビス等の固定具（不図示）で取付固定される。水切り補助部材１８は水切り板４の下方に設けられ、その上端は水切り板４の先端より若干鼻板１１側にくるように、またその下端は雨水をスムーズに軒樋５に導くことができる位置となるように、且つ水切り補助部材１８により強風を伴う雨天時などにおいても雨水が鼻板１１に回り込むのを効果的に防止できるように傾斜配置される。水切り補助部材１８は長期にわたって使用しても錆が発生したり、破損したりしない耐侯性にすぐれた金属や、硬質プラスチックなどの材料からなるものを用いることが望ましい。また、水切り補助部材１８は、単なる板状体の他、雨水の落下方向に溝を有する構造のものや、網状体など、鼻板１１側への雨水の回り込みを効果的に防止でき、雨水を軒樋５にスムーズに導けるものであれば、様々な形態のものとすることができる。
【００１６】
上記のような構造を有する本実施形態による軒樋の取付構造によれば、屋根１の軒先２から落下する雨水は水切り板４により軒樋５に向けて導かれるが、強風を伴う雨天時などであっても水切り板４から軒樋５に向かおうとする雨水は水切り補助部材１８の面に当り、鼻板１１側への回り込みが効果的に防止され、図中矢印で示すように軒樋５に確実に且つスムーズに導かれ、排水される。従って、鼻板１１の汚れを防止することができるようになる。また、水切り補助部材１８は水切り補助部材取付部１７に着脱自在に取り付けられているので、水切り補助部材１８が経時により劣化したり、あるいは別のデザインのものを使用したいときなどには、容易にその交換作業を行うことが可能となる。
【００１７】
以上、本願発明を一実施形態に基づいて説明したが、もちろん本願発明は上記実施形態に限定されるものではなく、種々の変形、変更が可能である。
【００１８】
例えば、上記実施形態では、水切り補助部材１８をビス等の固定具で水切り補助部材取付部１７に取り付けるようにしたが、本願発明によれば、水切り補助部材取付部１７に係合突起や係合爪を設けるとともに水切り補助部材１８に係合溝や係合孔を設けたり、あるいはその反対の係合構造とするなど、従来公知の各種の取付手法を用いることができる。
【００１９】
また、上記実施形態では、軒樋５として角樋を用いたが、本願発明は、丸樋などの種々の形態の樋に適用可能である。
【図面の簡単な説明】
【００２０】
【図１】本願発明に係る軒樋の取付構造の一実施形態を模式的に示す断面図である。
【図２】従来の軒樋の取付構造の一例を模式的に示す断面図である。
【００２１】
１    屋根
２    軒先
３    折曲部
４    水切り板
５    軒樋
６    底板部
７    前側壁部
８    後側壁部
９、１０    耳部
１１    鼻板
１２    吊金具
１３    吊金具本体
１４    取付部
１５、１６    保持部
１７    水切り補助部材取付部
１８    水切り補助部材
【図１】
2007120085.tif 000003
【図２】
2007120085.tif 000004